(57)【要約】【課題】  検出対象物質の非特異的な吸着・結合量が少なく、かつ、生理活性物質の固定化能の高いバイオチップ用基板を提供すること。【解決手段】  基板表面に生理活性物質を固定化するバイオチップ用基板であって、表面にアミノ基およびホスホリルコリン基を有するバイオチップ用基板であり、好ましくは、アミノ基およびホスホリルコリン基を有するポリマーが基板表面に塗布され、又はアミノ基を有する第１のポリマー、およびホスホリルコリン基を有する第２のポリマーが基板表面に塗布され、又はアミノ基と反応する官能基およびホスホリルコリン基を有するポリマーを表面に塗布し、次いで多官能性のアミノ基を有する化合物と反応させてなるバイオチップ用基板。 【特許請求の範囲】
【請求項１】
基板表面に生理活性物質を固定化するバイオチップ用基板であって、基板表面にアミノ基およびホスホリルコリン基を有することを特徴とするバイオチップ用基板。
【請求項２】
アミノ基およびホスホリルコリン基を有するポリマーが基板表面に塗布されている請求項１記載のバイオチップ用基板。
【請求項３】
アミノ基を有する第１のポリマー、およびホスホリルコリン基を有する第２のポリマーが基板表面に塗布されている請求項１記載のバイオチップ用基板。
【請求項４】
アミノ基と反応する官能基およびホスホリルコリン基を有するポリマーを表面に塗布し、次いで多官能性のアミノ基を有する化合物を反応させてなる請求項１記載のバイオチップ用基板。
【請求項５】
アミノ基と反応する官能基が、アルデヒド基、活性エステル基、および酸無水物基から選ばれる少なくとも一つの官能基である請求項４記載のバイオチップ用基板。
【請求項６】
アミノ基と反応する官能基が、ｐ−ニトロフェニルエステル基またはＮ−ヒドロキシスクシンイミドエステル基である請求項４記載のバイオチップ用基板。
【請求項７】
多官能性のアミノ基を有する化合物の分子骨格が炭化水素鎖またはエチレングリコール鎖で構成されている請求項４〜６いずれか記載のバイオチップ用基板。
【請求項８】
多官能性のアミノ基を有する化合物が、アミノ基以外の分子骨格中に窒素原子を少なくとも１つ有する化合物である請求項４〜７いずれか記載バイオチップ用基板。
【請求項９】
ポリマーがブチルメタクリレート基を含む共重合体である請求項２〜８いずれか記載のバイオチップ用基板。
【請求項１０】
ホスホリルコリン基が２−メタクリロイルオキシエチルホスホリルコリン基である請求項１〜９いずれか記載のバイオチップ用基板。
【請求項１１】
固相基板がプラスチック製である請求項１〜１０いずれか記載のバイオチップ用基板。
【請求項１２】
プラスチックが飽和環状ポリオレフィンである請求項１１記載のバイオチップ用基板。
【請求項１３】
固相基板がガラス製である請求項１〜１０いずれか記載のバイオチップ用基板。
【請求項１４】
請求項１〜１３いずれか記載のバイオチップ用基板に生理活性物質が固定化されたバイオチップであって、生理活性物質が核酸、ペプチド核酸、アプタマー、オリゴペプチド、糖鎖、およびそれらの類似物の中から選ばれる少なくとも１つであるか、又はこれらの中から少なくとも１つを含む複合体であるバイオチップ。
【発明の詳細な説明】
【技術分野】
【０００１】
本発明は、生理活性物質を固相基板上に固定化するためのバイオチップに関する。
【背景技術】
【０００２】
マイクロアレイを用いて試料検体の情報を得る技術は、生物学、医学において欠くことのできない技術になりつつある。例えばＤＮＡマイクロアレイでは、複雑な生物系においてもゲノム全体の発現パターンの研究が可能となり、遺伝子情報量の爆発的な増加がもたらされている。
マイクロアレイのシグナル検出において、マイクロアレイ用基板のバックグランドはＳ／Ｎ比を低下させる原因となり、検出精度を低下させる（例えば、非特許文献１）。Ｓ／Ｎ比とは、ラベル化された試料検体から得られたシグナル量（シグナル）をラベル化された試料検体から得られたシグナル物質以外の部位から発生したシグナル量（ノイズ）で除した値のことをいい、Ｓ／Ｎ比が高いと検出感度が高くなる。
【０００３】
マイクロアレイ上の物質を検出する手段として蛍光物質を用いる場合、マイクロアレイ固相基板の自己蛍光量がバックグランドとなり、基板の自己蛍光が高いと、Ｓ／Ｎ比が低下する問題がある。また、バックグラウンドにムラが生じた場合、その基板から得られたデータの再現性・信頼性に支障をきたす。
ゆえに、マイクロアレイ基板の材料には低蛍光性のものを使用することが多い。また、基板表面には核酸を効率良く固定化するための化学的修飾が施されることが通常であり、アルデヒド基やアミノ基を導入したものが多用されている。これらの官能基に由来する蛍光を低減することは、マイクロアレイを用いたアッセイの精度向上の観点から重要となってくる。マイクロアレイ用基板はガラスもしくはプラスチック製であることが多いが、通常これらの材料表面は化学的に不活性であることから、核酸を固定化するためには表面修飾を施す必要がある。表面修飾としては、アルデヒド基、アミノ基などの活性な官能基を導入する場合が多い。アミノ基を導入した基板では、基板全体が正電荷を帯びているため、負電荷をもつ核酸分子を静電的相互作用により固定化することができる。また、アルデヒド基を導入した基板では、固定化する核酸分子にアミノ基を予め導入しておくことにより、共有結合形成による強固な固定化が可能であることから、特に塩基数が数十個以下のオリゴＤＮＡ固定化用基板として広く用いられている（例えば特許文献１、特許文献２、特許文献３）。
【０００４】
基板表面へのアミノ基の導入方法として、アミノアルキルシランによる処理、窒素雰囲気下でのプラズマ処理、アミノ基含有高分子物質のコーティング、ポリ‐Ｌ−リジンなどのコーティングが挙げられる。
また、基板表面に結合されたグラフトポリマーを介してＤＮＡを固定化する方法などがある（例えば特許文献４、特許文献５）。特許文献５には、カルボキシル基を持つモノマーを構成成分とするポリマーを表面に担持した固相担体を使用し、ＤＮＡ断片を固定化する方法が開示されている。
しかしながら、上述の方法では、検出対象物質の物理的吸着（非特異的吸着）を抑制することは困難であるため、バックグランドが上昇してしまい、Ｓ／Ｎ比の低下を招く。そこで、検出対象物質の基板への物理的吸着（非特異的吸着）を抑制することのできる基板の開発が求められていた。
【０００５】
Ｓ／Ｎ比の向上についてより詳細に述べる。基板表面に生理活性物質を固定化後、基板表面の官能基が活性な状態のままであると、検出対象物質の非特異的な結合が起こるため、官能基の不活性化処理（ブロッキング）を行う必要がある（非特許文献２および非特許文献３参照）。ブロッキングの方法としては、検出反応に影響しない物質を吸着させて官能基を遮蔽する方法と、触媒などの作用により官能基を他の不活性な官能基に変換する方法がある。しかし、ブロッキング処理は官能基を不活性化するだけであり、検出対象物質の物理的吸着（非特異的吸着）を抑制することはできない。検査対象物質の非特異的吸着が起こると、バックグランドが上昇し、またバックグランドにムラが生じてしまい、シグナルの検出精度、すなわちＳ／Ｎ比が低くなる。
【０００６】
また、Ｓ／Ｎ比の向上は、ラベル化された試料検体から得られたシグナル量を向上することによって達成できる。シグナル量に大きな影響を及ぼす要素の一つとして、基板表面への生理活性物質の固定化効率、すなわち、基板の生理活性物質の固定化能力が挙げられる。よって、基板の生理活性物質の固定化能を高ければ、Ｓ／Ｎ比をより向上することができる。
上述したように、非特異的な吸着を最小限に抑えることによりバックグランドを減少し、かつ、基板生理活性物質の固定化能を高めることによりシグナル量を向上することは、高いＳ／Ｎ比を実現できるバイオチップとして非常に有用である。
【０００７】
【非特許文献１】「ＤＮＡマイクロアレイ実戦マニュアル」、林崎良英、岡崎康司編、羊土社、2000年、p.57
【非特許文献２】「細胞工学別冊  ＤＮＡマイクロアレイと最新ＰＣＲ法」、P.22、秀潤社、2000年
【非特許文献３】「ＤＮＡチップ技術とその応用」、「蛋白質  核酸  酵素  43(13)」、君塚房夫、加藤郁之進著、共立出版、1998年、pp.2004〜2011
【特許文献１】特開２００２−１７６９９１号
【特許文献２】特開２００２−１８１８１７号
【特許文献３】特表２００２−５３２６９９号
【特許文献４】特開２００３−１３０８７８号
【特許文献５】特開２００１−１７８４６０号
【発明の開示】
【発明が解決しようとする課題】
【０００８】
本発明の目的は、検出対象物質の非特異的な吸着・結合量が少なく、かつ、生理活性物質の固定化能の高いバイオチップ用基板を提供することを目的とする。
【課題を解決するための手段】
【０００９】
（１）基板表面に生理活性物質を固定化するバイオチップ用基板であって、基板表面にアミノ基およびホスホリルコリン基を有することを特徴とするバイオチップ用基板、
（２）アミノ基およびホスホリルコリン基を有するポリマーが基板表面に塗布されている（１）記載のバイオチップ用基板、
（３）アミノ基を有する第１のポリマー、およびホスホリルコリン基を有する第２のポリマーが基板表面に塗布されている（１）記載のバイオチップ用基板、
（４）アミノ基と反応する官能基およびホスホリルコリン基を有するポリマーを表面に塗布し、次いで多官能性のアミノ基を有する化合物と反応させてなる（１）記載のバイオチップ用基板、
（５）アミノ基と反応する官能基が、アルデヒド基、活性エステル基、および酸無水物基から選ばれる少なくとも一つの官能基である（４）記載のバイオチップ用基板。
（６）アミノ基と反応する官能基が、ｐ−ニトロフェニルエステル基またはＮ−ヒドロキシスクシンイミドエステル基である（４）記載のバイオチップ用基板、
（７）多官能性のアミノ基を有する化合物の分子骨格が炭化水素鎖またはエチレングリコール鎖で構成されている（４）〜（６）いずれか記載のバイオチップ用基板、
（８）多官能性のアミノ基を有する化合物が、アミノ基以外の分子骨格中に窒素原子を少なくとも１つ有する化合物である（４）〜（７）いずれか記載バイオチップ用基板、
（９）ポリマーがブチルメタクリレート基を含む共重合体である（２）〜（８）いずれか記載のバイオチップ用基板、
（１０）ホスホリルコリン基が２−メタクリロイルオキシエチルホスホリルコリン基である（１）〜（９）いずれか記載のバイオチップ用基板、
（１１）固相基板がプラスチック製である（１）〜（１０）いずれか記載のバイオチップ用基板、
（１２）プラスチックが飽和環状ポリオレフィンである（１１）記載のバイオチップ用基板、
（１３）固相基板がガラス製である（１）〜（１０）いずれか記載のバイオチップ用基板、
（１４）（１）〜（１３）いずれか記載のバイオチップ用基板に生理活性物質が固定化されたバイオチップであって、生理活性物質が核酸、ペプチド核酸、アプタマー、オリゴペプチド、糖鎖、およびそれらの類似物の中から選ばれる少なくとも１つであるか、又はこれらの中から少なくとも１つを含む複合体であるバイオチップ、
である。
【発明の効果】
【００１０】
本発明によれば、検出対象物質の非特異的な吸着・結合量が少なく、かつ、生理活性物質の固定化能の高いバイオチップ用基板を得ることができる。
【発明を実施するための最良の形態】
【００１１】
以下、本発明を詳細に説明する。
本発明のバイオチップ用基板は、基板表面にアミノ基およびホスホリルコリン基を有することを特徴とする。
アミノ基およびホスホリルコリン基の導入方法としては、アミノ基およびまたはホスホリルコリン基を有するポリマーが表面に塗布されることにより導入されていることが好ましく、アミノ基とホスホリルコリン基が同一のポリマーであるかまたはアミノ基を有するポリマーとホスホリルコリン基を有するポリマーが各々別のポリマーであることがより好ましい。
【００１２】
また、アミノ基と反応する官能基およびホスホリルコリン基を有するポリマーを表面に塗布することにより、アミノ基と反応する官能基およびホスホリルコリン基を基板表面に導入し、次いで多官能性のアミノ基を有する化合物を反応させることによりアミノ基を導入することもできる。アミノ基と反応する官能基としては、アルデヒド基、活性エステル基、酸無水物などが挙げられるが、活性エステル基であることが好ましい。
【００１３】
ホスホリルコリン基を有するポリマーは、生体膜（リン脂質二重層膜）類似の構造を有しているポリマーであって、生理活性物質の吸着を抑制する効果を有する（例えばIshihara K, Tsuji T, Kurosaki T, Nakabayashi N, Journal of Biomedical Materials Research, 28(2), pp.225-232, (1994)４など）。
ホスホリルコリン基は、例えば２−メタクリロイルオキシエチルホスホリルコリン 、２−メタクリロイルオキシエトキシエチルホスホリルコリン 、６−メタクリロイルオキシヘキシルホスホリルコリン 、１０−メタクリロイルオキシエトキシノニルホスホリルコリン 、アリルホスホリルコリン 、ブテニルホスホリルコリン 、ヘキセニルホスホリルコリン 、オクテニルホスホリルコリン 、デセニルホスホリルコリン等が挙げられるが、２−メタクリロイルオキシエチルホスホリルコリンが好ましい。
【００１４】
基板表面とポリマーとの結合は、共有結合、静電的相互作用、水素結合、疎水効果による結合等どのような結合様式であっても良いが、表面処理の簡易性などの観点から、基板表面とポリマーとの疎水効果によって結合していることが好ましい。
【００１５】
また、本発明に使用するポリマーは、ホスホリルコリン基及び活性エステル基以外に他の基を含んでもよく、ブチルメタクリレート基を含む共重合体が好ましい。
【００１６】
本発明に使用する活性エステル基としては、例えばｐ−ニトロフェニルエステル基、Ｎ−ヒドロキシスクシンイミドエステル基、コハク酸イミドエステル基、フタル酸イミドエステル基、5-ノルボルネン-2,3-ジカルボキシイミドエステル基などが好ましく挙げられるるが、ｐ−ニトロフェニルエステル基、Ｎ−ヒドロキシスクシンイミドエステル基がより好ましい。
【００１７】
本発明に使用する多官能性のアミノ基を有する化合物は、一分子中に２個以上のアミノ基を有していればどのような骨格であってもよいが、紫外および可視領域において蛍光を発しない骨格であることが好ましい。より好ましくは、骨格の一部が炭化水素鎖およびエチレングリコール鎖で構成されていることである。また、骨格の一部に窒素原子を少なくとも１つ有する化合物であることがより好ましい。窒素原子の存在により表面が正電荷をより帯びやすくなっているため、生理活性物質がより固定化されやすくなる。
【００１８】
骨格の一部が炭化水素鎖またはエチレングリコール鎖で構成されている化合物として、例えば、エチレンジアミン、N、N−ビス（３−アミノプロピル）メチルアミン、１、４−ビス（３−アミノプロピル）ピペラジン、エチレングリコールビス（３−アミノプロピル）エーテル、ジエチレングリコールビス（３−アミノプロピル）エーテル、ポリエチレンイミン等が挙げられ、このうち骨格の一部に窒素原子を少なくとも１つ有する物質としては、N、N−ビス（３−アミノプロピル）メチルアミン、１、４−ビス（３−アミノプロピル）ピペラジンが挙げられる。
【００１９】
本発明に使用するバイオチップ用基板の固相基板の素材は、ガラス、プラスチック、金属その他を用いることができるが、表面処理の容易性、量産性の観点から、プラスチックが好ましく、熱可塑性樹脂がより好ましい。熱可塑性樹脂としては、蛍光発生量の少ないものが好ましく、たとえばポリエチレン、ポリプロピレン等の直鎖状ポリオレフィン、環状ポリオレフィン、含フッ素樹脂等を用いることが好ましく、耐熱性、耐薬品性、低蛍光性、成形性に特に優れる飽和環状ポリオレフィンを用いることがより好ましい。ここで飽和環状ポリオレフィンとは、環状オレフィン構造を有する重合体単独または環状オレフィンとα−オレフィンとの共重合体を水素添加した飽和重合体をさす。
【００２０】
また、本発明における固相基板として、固相基板が実質的に不透明に、或いは、少なくとも検出する蛍光のピーク波長、或いは、少なくとも照射する励起光のピーク波長で不透明にされている基板を使用することもできる。特開２００３−１３０８７４号では、プラスチック基板を不透明にする手段として、黒色顔料を添加する方法が挙げられている。プラスチックに顔料を含有させる方法については、マスターパウダーやドライカラー、マスターバッチなどいろいろなタイプがあるが、特に経済性、取り扱い性等の点で優れているマスターバッチを用いることが好ましい。マスターバッチとは、基材樹脂を主成分とし、この基材樹脂に顔料や添加剤等を練り込んだものであり、通常ナチュラル樹脂により10〜100倍に希釈して使用される。これにより、基板に用いられているプラスチックが受ける励起光の侵入を阻止し、励起光により発する蛍光を検出器に届かないように材料を改質している。
【００２１】
本発明のバイオチップ用基板を用いて生理活性物質を固定化することができる。本発明で用いる生理活性物質としては、核酸、ペプチド核酸、アプタマー、オリゴペプチド、糖鎖、およびこれらの類似物の中から選ばれる少なくとも１つであるか、またはこれらの中から少なくとも１つを含む複合体を挙げることができるがこれらに限定されない。
【００２２】
生理活性物質の固定化は、固相基板表面のアミノ基の正電荷と負電荷をもつ生理活性物質との静電的相互作用、固相基板表面のアミノ基と生理活性物質に含まれる官能基と間の化学結合、または、固相基板表面と生理活性物質との物理的吸着、水素結合などによるものであることが好ましい。固定化される生理活性物質は、本来の生理活性を実質的に保っていることが好ましい。ここで本来の生理活性とは、たとえば核酸の場合はハイブリダイゼーション現象、抗体の場合は抗原認識能といったものである。基板上に固定化された生理活性物質と、別途調製した生理活性物質（検体）を反応させ、その反応を定量化することにより検体の情報を得ることができる。定量化の手段として一般的に用いられている方法は、検体を蛍光標識しておき、その蛍光量を読み取る方法である。
【００２３】
本発明のバイオチップ用基板は蛍光発生量が低く抑えられているため、定量に蛍光標識を利用するバイオチップの基板として好適に用いることができる。また、蛍光標識を用いないバイオチップの基板としても用いることができる。
【実施例】
【００２４】
以下の実施例により本発明を具体的に説明するが、本発明は、実施例の範囲に限定されるものではない。
（アミノ基導入基板の作製）
（実施例１）
飽和環状ポリオレフィン樹脂をスライドガラス形状に加工して固相基板を作成した。固相基板を２−メタクリロイルオキシエチルホスホリルコリン−ブチルメタクリレート−ｐ−ニトロフェニルカルボニルオキシエチルメタクリレート共重合体の０．５重量％エタノール溶液に浸漬することにより、基板表面にホスホリルコリン基と活性エステル基とを有する高分子物質を導入した。
前記基板にN、N−ビス（３−アミノプロピル）メチルアミンの２体積％水溶液に3時間浸漬し、純水で洗浄後、８０℃、２時間真空乾燥することにより、基板表面にホスホリルコリン基およびアミノ基が導入されたバイオチップ用基板を作成した。
【００２５】
（実施例２）
スライドガラス（ＴｅｌｅＣｈｅｍ社製）に２−メタクリロイルオキシエチルホスホリルコリン−ブチルメタクリレート−ｐ−ニトロフェニルカルボニルオキシエチルメタクリレート共重合体の０．５重量％エタノール溶液に浸漬することにより、基板表面にホスホリルコリン基と活性エステル基とを有する高分子物質を導入した。
前記基板にN、N−ビス（３−アミノプロピル）メチルアミンの２体積％水溶液に3時間浸漬し、純水で洗浄後、８０℃、２時間真空乾燥することにより、基板表面にホスホリルコリン基およびアミノ基が導入されたバイオチップ用基板を作成した。
【００２６】
（実施例３）
飽和環状ポリオレフィン樹脂をスライドガラス形状に加工して固相基板を作成した。固相基板を２−メタクリロイルオキシエチルホスホリルコリン−ブチルメタクリレート−ｐ−ニトロフェニルカルボニルオキシエチルメタクリレート共重合体の０．５重量％エタノール溶液に浸漬することにより、基板表面にホスホリルコリン基と活性エステル基とを有する高分子物質を導入した。
前記基板にエチレングリコールビス（３−アミノプロピル）エーテルの２体積％水溶液に3時間浸漬し、純水で洗浄後、８０℃、２時間真空乾燥することにより、基板表面にホスホリルコリン基およびアミノ基が導入されたバイオチップ用基板を作成した。
【００２７】
（実施例４）
カーボンブラック４０重量％に対しポリスチレン６０重量％を配合し、高濃度に黒色顔料を含有するペレットを作製。このペレットを飽和環状ポリオレフィン樹脂に対し、３．７５重量％に配合することによりカーボンブラックを１．５重量％含有する飽和環状ポリオレフィン樹脂を作製した。この樹脂を用いて、スライドガラス状の基板を作製した。
前記基板を実施例１と同様な方法により、基板表面にホスホリルコリン基およびアミノ基が導入されたバイオチップ用基板を作成した。
【００２８】
（実施例５）
飽和環状ポリオレフィン樹脂をスライドガラス形状に加工して固相基板を作成した。固相基板を２−メタクリロイルオキシエチルホスホリルコリン−ブチルメタクリレート−アミノオキシエチルメタクリレート共重合体の０．５重量％エタノール溶液に浸漬することにより、基板表面にホスホリルコリン基およびアミノ基が導入されたバイオチップ用基板を作成した。
【００２９】
（比較例１）
飽和環状ポリオレフィン製の基板を親水化処理したのち、１％アミノアルキルシラン溶液に浸漬し、熱処理を施すことにより基板表面にアミノ基が導入されたバイオチップ用基板を作成した。
【００３０】
（比較例２）
ＴｅｌｅＣｈｅｍ社製アミノ基導入ガラス基板を用いた。
【００３１】
（比較例３）
飽和環状ポリオレフィン樹脂をスライドガラス形状に加工して固相基板を作成した。固相基板を２−メタクリロイルオキシエチルホスホリルコリン−ブチルメタクリレート−ｐ−ニトロフェニルカルボニルオキシエチルメタクリレート共重合体の０．５重量％エタノール溶液に浸漬することにより、基板表面にホスホリルコリン基および活性エステル基が導入されたバイオチップ用基板を作成した。
【００３２】
（ＰＣＲ産物の調整）
長鎖ＤＮＡおよび蛍光標識長鎖ＤＮＡの調整は、ＰＣＲ  Ｔｈｅｒｍａｌ  Ｃｙｃｌｅｒ４８０（タカラバイオ社製）を使用して、ＰＣＲにより増幅されたＤＮＡを用いた。プライマーとして、オリゴヌクレオチド（シグマジェノシス社製）（配列１：ＴＣＧＴＧＣＧＴＧＡＣＡＴＴＡＡＧＧＡＧＡＡＧＣ（配列番号１）、配列２：ＣＴＡＧＡＡＧＣＡＴＴＴＧＣＧＧＴＧＧＡＣＧＡＴ（配列番号２））を使用し、ｃＤＮＡライブラリー（Ｈｕｍａｎｌｉｖｅｒ）（タカラバイオ社製）を鋳型として、βアクチン遺伝子のＤＮＡ断片（５０２ｂｐ）を増幅した。
ＰＣＲ反応液の組成は、２００μＭ  ｄＮＴＰ、ＴａｋａｒａＥｘＴａｑ（タカラバイオ社製）、２ｍＭＭｇＣｌ2、Ｅｘ  Ｔａｑ  Ｂｕｆｆｅｒであり、ＰＣＲ反応は、プレ変性：９０℃、３０秒；１サイクル、熱変性：９０℃、３０秒、アニーリング：６０℃、３０秒、伸長：７２℃、４５秒；３０サイクル、伸長：７２℃、３分；１サイクルで行なった。この断片をアガロースゲル電気泳動により増幅されていることを確認後、マイクロコン１００（ミリポア社製）を用いて、ＰＣＲ増幅産物を精製、濃縮した。
蛍光標識長鎖ＤＮＡの調整は、Ｃｙ３標識オリゴヌクレオチドを用いて、上記と同様の方法で行なった。
【００３３】
（ＤＮＡの固定化、ハイブリダイゼーション）
上記で得られた長鎖ＤＮＡを所定の水溶液を用いて、所定濃度に溶解し、９６穴プレートに分注し、マイクロピン式のマイクロアレイスポッターを用いて実施例１〜５、比較例１〜３で作製した基板にそれぞれ点着した。
点着後、８０℃で１時間熱処理、ＵＶを照射（１２０ｍＪ）することにより長鎖ＤＮＡを固定化し、０．１％ＳＤＳで洗浄を行なった。その後、２×ＳＳＣ（クエン酸ナトリウム緩衝液）、０．１％ＳＤＳの水溶液を調整し、ホットプレート上で沸騰させた後、基板を１分間浸漬し、次いで純水中に１分間浸漬した。
前基板を５×ＳＳＣ、０．３％ＳＤＳ、０．１ｍｇ／ｍｌのＢＳＡ水溶液中に５０℃で1時間浸すことで、ＤＮＡが点着されていない部分のブロッキングを行なった。次いで、水で洗浄した後、ハイブリダイゼーション反応を５０℃で１６時間行なった。ハイブリダイゼーション溶液として、上記で得られた蛍光標識長鎖ＤＮＡを所定の濃度に溶解した、５×ＳＳＣ、０．３％ＳＤＳを用いた。
ハイブリダイゼーション終了後、０．２×ＳＳＣ、０．１％ＳＤＳ中で４２℃、１０分浸漬した。その後、０．２×ＳＳＣ、０．１％ＳＤＳ中、室温で１０分浸漬し、２×ＳＳＣ、１×ＳＳＣ、０．１×ＳＳＣの順に洗浄を行なった。次いで、基板を遠心することにより乾燥した。
【００３４】
（蛍光スキャナによるスポットの蛍光強度の数値化）
マイクロアレイ用スキャナ「ＳｃａｎＡｒｒａｙ  Ｌｉｔｅ」（パッカードバイオチップテクノロジー社製）を用いて、上記で得られた各基板のスポットの蛍光を検出した。このときの測定条件は、レーザー出力９０％、ＰＭＴ感度６０％、励起波長５５０ｎｍ、測定波長５７０ｎｍ、解像度５０μｍであった。
スポットの蛍光強度の数値化は、スキャナに付属の解析用ソフトウェア「ＱｕａｎｔＡｒｒａｙ」を用いて行なった。
【００３５】
実施例１〜５、比較例１〜３の基板で得られた、蛍光シグナル値、蛍光バックグランド値、Ｓ／Ｎ比、ＣＶ値を表１に示す。ＣＶ値は、９６スポットの各蛍光量の平均値を９６スポットの各蛍光量の標準偏差で除した値であり、シグナルのバラツキを表すものである。
実施例１〜５では、比較例１〜３と比較して、蛍光バックグランド値が低く、かつ、蛍光シグナル値の大幅な増加が認められ、Ｓ／Ｎ比が高い結果となった。ＣＶ値も良好な値を示した。この結果は、本発明の効果を支持するものであった。
【００３６】
【表１】
2006017458.tif 000002
【配列表】
2006017458000001.app